(57)【要約】【課題】多数の貯蔵物を出し入れする際の作業負担を軽減し冷蔵庫の使い勝手を向上させることができる冷蔵庫扉用取付棚及び冷蔵庫を提供する。【解決手段】載置板５１と、冷蔵庫扉１３の前面に載置板５１を取り付ける取付部５２とを備え、取付部５２が、載置板５１を冷蔵庫扉１３に平行な状態と冷蔵庫扉１３に垂直な状態に回動可能に支持する支持部５３と、冷蔵庫扉１３の背面１３ａの周縁部に設けられたガスケット３５の外側において冷蔵庫扉１３に固定される固定部５４とを備える冷蔵庫扉用取付棚５０を冷蔵庫扉１３に取り付ける。【選択図】        図３
2017161106.tif 000002
【特許請求の範囲】
【請求項１】
載置板と、冷蔵庫扉の前面に前記載置板を取り付ける取付部とを備え、
前記取付部は、前記載置板を冷蔵庫扉に平行な状態と冷蔵庫扉に垂直な状態に回動可能に支持する支持部と、冷蔵庫扉の背面周縁部に設けられたガスケットの外側において冷蔵庫扉に固定される固定部とを備える冷蔵庫扉用取付棚。
【請求項２】
前記固定部は、冷蔵庫扉の背面周縁部に引っ掛かる係止部を備え、
前記係止部は、冷蔵庫扉の背面周縁から前記係止部の先端までの長さが、冷蔵庫扉の背面周縁からガスケットまでの距離より短い請求項１に記載の冷蔵庫扉用取付棚。
【請求項３】
前記固定部は、冷蔵庫扉の背面周縁部に引っ掛かる係止部を備え、
前記係止部の厚みが、冷蔵庫扉の閉扉時におけるガスケットの厚みより小さい請求項１又は２に記載の冷蔵庫扉用取付棚。
【請求項４】
前記載置棚は、冷蔵庫扉に平行な状態において、前記載置棚の上端が冷蔵庫扉に設けられた手掛け部より下方に位置する請求項１〜３のいずれか１項に記載の冷蔵庫扉用取付棚。
【請求項５】
前面に開口部する貯蔵室が形成された冷蔵庫本体と、前記貯蔵室の前面開口部を閉塞する冷蔵庫扉と、前記冷蔵庫扉の背面周縁部に設けられたガスケットと、載置板と、前記冷蔵庫扉の前面に前記載置板を取り付ける取付部とを備え、
前記取付部は、前記載置板を前記冷蔵庫扉に平行な状態と前記冷蔵庫扉に垂直な状態に回動可能に支持する支持部と、前記ガスケットの外側において前記冷蔵庫扉に固定される固定部とを備える冷蔵庫。
【発明の詳細な説明】
【技術分野】
【０００１】
本発明の実施形態は、冷蔵庫扉用取付棚及び冷蔵庫に関するものである。
【背景技術】
【０００２】
従来、冷蔵庫では、利便性の高い貯蔵室を屈まずにそのままの姿勢で食品等の貯蔵物を出し入れできるように貯蔵室のレイアウトを工夫し、使い勝手の向上が図られている（例えば、下記特許文献１）。
【０００３】
しかし、冷蔵庫では、多数の貯蔵物を出し入れする場合、多数の貯蔵物を手に抱え込んで扉を開閉操作したり、食品を床に仮置きしたり、不便な動作を強いられることがある。
【先行技術文献】
【特許文献】
【０００４】
【特許文献１】特開２０１０−６０２６３号公報
【発明の概要】
【発明が解決しようとする課題】
【０００５】
そこで、多数の貯蔵物を出し入れする際の作業負担を軽減し冷蔵庫の使い勝手を向上させることができる冷蔵庫扉用取付棚及び冷蔵庫を提供することを目的とする。
【課題を解決するための手段】
【０００６】
本実施形態の冷蔵庫扉用取付棚は、載置板と、冷蔵庫扉の前面に前記載置板を取り付ける取付部とを備え、前記取付部は、前記載置板を冷蔵庫扉に平行な状態と冷蔵庫扉に垂直な状態に回動可能に支持する支持部と、冷蔵庫扉の背面周縁部に設けられたガスケットの外側において冷蔵庫扉に固定される固定部とを備えるものである。
【０００７】
また、本実施形態の冷蔵庫は、前面に開口部する貯蔵室が形成された冷蔵庫本体と、前記貯蔵室の前面開口部を閉塞する冷蔵庫扉と、前記冷蔵庫扉の背面周縁部に設けられたガスケットと、載置板と、前記冷蔵庫扉の前面に前記載置板を取り付ける取付部とを備え、前記取付部は、前記載置板を前記冷蔵庫扉に平行な状態と前記冷蔵庫扉に垂直な状態に回動可能に支持する支持部と、前記ガスケットの外側において前記冷蔵庫扉に固定される固定部とを備えるものである。
【図面の簡単な説明】
【０００８】
【図１】本発明の一実施形態に係る冷蔵庫の開扉状態における斜視図である。
【図２】図１に示す冷蔵庫の断面図である。
【図３】図２の要部拡大図である。
【図４】冷蔵庫扉用取付棚の部分拡大斜視図である。
【図５】冷蔵庫扉用取付棚を取り付けた野菜室扉の背面図である。
【発明を実施するための形態】
【０００９】
以下、図面に基づいて本発明の一実施形態について説明する。
【００１０】
本実施形態に係る冷蔵庫１は、図１及び図２に示すように、前面に開口部が形成された断熱箱体からなる冷蔵庫本体２の内部に貯蔵空間が形成されている。この冷蔵庫本体２は、鋼板からなる外箱３と貯蔵空間を形成する内箱４との間に真空断熱材や発泡断熱材など断熱材５を設けて構成されている。
【００１１】
冷蔵庫本体２は内部に形成された貯蔵空間が複数に区画され、前面に開口部を有する複数の貯蔵室を備えて構成される。具体的には、冷蔵庫本体２は、最上部に位置して容積が最も大きい冷蔵室６と、この冷蔵室６の下方に設けられた野菜室７と、野菜室７の下方に断熱仕切壁８を介して左右に並べて設けられた製氷室９及び上段冷凍室１０と、製氷室９及び上段冷凍室１０の下方に設けられた下段冷凍室１１とを備えて構成されている。
【００１２】
冷蔵庫本体２の内部に区画形成された各貯蔵室６，７，９，１０，１１の前面開口部は、冷蔵庫扉１２，１３，１４，１５，１６によって開閉可能に閉塞されている。具体的には、冷蔵室６の前面開口部は、冷蔵庫本体２の左右両側に設けられたヒンジ１７により回動自在に枢支された左右一対の回動式の冷蔵室扉１２により閉塞されている。また、野菜室７、製氷室９、上段冷凍室１０及び下段冷凍室１１の前面開口部は、引き出し式の野菜室扉１３，製氷室扉１４，上段冷凍室扉１５，及び下段冷凍室扉１６によりそれぞれ閉塞されている。
【００１３】
製氷室９及び上段冷凍室１０の背部には、冷却器２０と、冷却器２０で冷却された空気を各貯蔵室６，７，９，１０，１１に送風する冷却器ファン２１とを収納する冷却器室２２が配設されている。冷却器２０は、冷蔵庫本体２の背面下部に設けた圧縮機２３や凝縮器２４や不図示の減圧装置とともに冷凍サイクルを構成し、圧縮機２３から吐出された冷媒が凝縮器２４及び減圧装置を介して冷却器２０に供給されることで冷却され、冷却器室２２内の空気を冷却する。冷却器２０で冷却された空気は、冷却器ファン２１によりダクト２５、２６を介して各貯蔵室６，７，９，１０，１１に導入され、各貯蔵室を所定の温度に冷却する。
【００１４】
次に、貯蔵室６，７，９，１０，１１の前面開口部を閉塞する冷蔵庫扉１２，１３，１４，１５，１６の構成について説明する。なお、この実施形態では、各扉は、大きさ及び形状が異なっているが、基本的な構成が共通しているため、ここでは野菜室扉１３について説明する。
【００１５】
野菜室扉１３は、図３に示すように、扉面材３０、扉内板３１、上キャップ部材３２及び下キャップ部材３３から外郭を構成し、その内部に真空断熱材や発泡断熱材などの断熱部材３４を配設する断熱空間が形成されている。
【００１６】
扉面材３０は、鋼板を所定形状に成型してなり、野菜室７の前面開口部を閉塞した時に冷蔵庫１の前面（外表面）を構成する。扉面材３０の左右側縁部は、後方へ向けて折れ曲がり野菜室扉１３の側面を構成する扉側面部３０ａ（図４参照）が形成されている。
【００１７】
扉内板３１は、合成樹脂を所定の平板形状に成型してなり、左右側縁部が扉側面部３０ａの後端部と接合され、扉面材３０より後方に間隔をあけて設けられ扉面材３０との間で断熱空間を形成する。扉内板３１は、野菜室７の前面開口部と対向する野菜室扉１３の背面（庫内側面）１３ａを構成する。扉内板３１の周縁部には、野菜室７の前面開口部を区画する野菜室前端面７ａと対向する位置にガスケット保持部３１ａが環状に設けられている。
【００１８】
ガスケット保持部３１ａには、野菜室扉１３の周縁部を取り囲むようにガスケット３５が取り付けられている。ガスケット３５は、閉扉時に野菜室前端面７ａに当接して、野菜室扉１３と野菜室７内部との隙間をシールする。
【００１９】
上キャップ部材３２は、合成樹脂成形品からなり、扉面材３０及び扉内板３１の上端部と接合され、断熱空間の上方を区画するとともに野菜室扉１３の上面を構成する。上キャップ部材３２の前側（扉面材３０側）には、断熱空間側に向けて（下方に向けて）陥没する手掛け部３６が設けられている。
【００２０】
下キャップ部材３３は、合成樹脂成形品からなり、扉面材３０及び扉内板３１の下端部と接合され、断熱空間の下方を区画するとともに野菜室扉１３の下面を構成する。
【００２１】
そして、野菜室扉１３には、冷蔵庫扉用取付棚（以下、取付棚ということもある）５０が着脱可能に取り付けられている。なお、本実施形態では、取付棚５０を野菜室扉１３に取り付ける場合について説明するが、製氷室扉１４や上段貯蔵室扉１５や下段貯蔵室扉１６など他の冷蔵庫扉に取り付けてもよい。
【００２２】
取付棚５０は、図２〜図５に示すように、冷蔵室６や野菜室７に出し入れする貯蔵物を載置する板状の載置板５１と、野菜室扉１３の前面を構成する扉面材３０の前側に載置板５１を取り付ける取付部５２とを備える。
【００２３】
載置板５１は、左右側面の後端部に回動軸５１ａが設けられており、取付部５２に設けられた軸受部５３ｂに回動可能に支持されている。載置板５１は、回動軸５１ａの周りに回動することで、図２及び図３において実線で示すような貯蔵物を載置する載置面５１ｂが水平となる（野菜室扉１３の扉面材３０に垂直な）使用位置と、図２及び図３において二点鎖線で示すような載置面５１ｂが野菜室扉１３の扉面材３０に対向する（野菜室扉１３の扉面材３０に平行な）収納位置との間を移動するようになっている。載置板５１は、野菜室扉１３の扉面材３０に平行な収納位置にあると、載置板５１の上端が野菜室扉１３に設けられた手掛け部３６より下方に位置するように載置板５１の奥行き寸法が設定されている。
【００２４】
取付部５２は、載置板５１の後端部の左右両側方にそれぞれ設けられ、載置板５１を上記した使用位置と収納位置に回動可能に支持する支持部５３と、野菜室扉１３の周縁部を取り囲むように設けられたガスケット３５の外側において冷蔵庫扉１３に固定される固定部５４とを備える。
【００２５】
支持部５３は、載置板５１の後端部の側方に設けられ、載置板５１の左右側端部を支持する。支持部５３は、載置板５１の側面に平行な平板状の基部５３ａと、基部５３ａに穿設された丸穴状の軸受部５３ｂと、基部５３ａの下端部から内方へ向けて（つまり、もう一方の取付部５２に向けて）突出するストッパ５３ｃとを備える。軸受部５３ｂは、載置板５１の回動軸５１ａが挿入され、これを回動可能に支持する。ストッパ５３ｃは使用位置にある載置板５１の下面を支持する。
【００２６】
固定部５４は、支持部５３の基部５３ａに沿って上方に延びる上固定部５４ａと、基部５３ａから離れる方向（冷蔵庫幅方向外方）へ延びる横固定部５４ｂとを備え、この例では、上固定部５４ａと横固定部５４ｂが金属製の棒状体を所定形状に折り曲げて一体に設けられている。
【００２７】
上固定部５４ａは、下端部が支持部５３の基部５３ａに接合固定され、上端部が野菜室扉１３の上縁部を巻き込むように後方へ折れ曲がり、上固定部５４ａの先端部が下方に垂れ下がる上係止部５４ａ１をなしている。上係止部５４ａ１が野菜室扉１３の背面１３ａの上縁部に引っ掛かることで上固定部５４ａは野菜室扉１３に固定される。
【００２８】
図３に拡大して示すように、上係止部５４ａ１が野菜室扉１３の背面１３ａに沿う長さ（つまり、冷蔵庫扉１３の背面１３ａの上端から上係止部５４ａ１の先端までの長さ）Ｌａは、冷蔵庫扉１３の背面１３ａの上端からガスケット３５までの長さＤａより短く設定されている。これにより、上固定部５４ａは、野菜室扉１３の周縁部を取り囲むように設けられたガスケット３５の外側において冷蔵庫扉１３に固定されている。
【００２９】
また、上係止部５４ａ１の厚み（つまり、上係止部５４ａ１の前後方向の長さ）ｔａが、野菜室扉１３の閉扉時におけるガスケット３５の厚み（つまり、閉扉時における冷蔵庫扉１３の背面１３ａと野菜室前端面７ａの間隔）Ｔより小さく設定されている。
【００３０】
横固定部５４ｂは、上固定部５４ａの下端を基部５３ａから離れる方向へ折り曲げて形成されており、冷蔵庫幅方向端部が野菜室扉１３の側縁部を巻き込むように後方へ折れ曲がっている。横固定部５４ｂの先端部は、冷蔵庫幅方向の外側端部において冷蔵庫幅方向内方に突出する横係止部５４ｂ１をなしている。横係止部５４ｂ１が野菜室扉１３の背面１３ａの側縁部に引っ掛かることで横固定部５４ｂは野菜室扉１３に固定される。
【００３１】
図５に示すように、横係止部５４ｂ１が野菜室扉１３の背面１３ａに沿う長さＬｂは、冷蔵庫扉１３の背面１３ａの周縁からガスケット３５までの長さＤｂより短く設定され、これにより、横固定部５４ｂは、野菜室扉１３の周縁部を取り囲むように設けられたガスケット３５の外側において冷蔵庫扉１３に固定されている。また、横係止部５４ｂ１の厚みｔｂは、図３に示すように、野菜室扉１３の閉扉時におけるガスケット３５の厚みＴより小さく設定されている。
【００３２】
以上のような取付棚５０は、巻き返し形状に設けられた横固定部５４ｂに野菜室扉１３を上方から挿入し、上固定部５４ａを野菜室扉１３の上縁部に引っ掛けることで野菜室扉１３に取り付けられる。
【００３３】
野菜室扉１３に取り付けられた取付棚５０は、冷蔵室６や野菜室７に貯蔵物を出し入れする際に載置板５１を使用位置に移動させて貯蔵物を仮置きする棚として使用され、貯蔵物の出し入れが終わると載置板５１を収納位置に移動させる。
【００３４】
上記した本実施形態によれば、冷蔵庫扉１３の前面に貯蔵物を仮置きする載置面５１ｂを設けることができるため、多数の貯蔵物を出し入れする際の作業負担を軽減し冷蔵庫の使い勝手を向上させることができる。
【００３５】
しかも、取付棚５０は、冷蔵庫扉１３の背面１３ａの周縁部に設けられたガスケット３５の外側において冷蔵庫扉１３に固定されているため、閉扉状態の冷蔵庫扉１３でも取り付けることができ。
【００３６】
また、本実施形態では、冷蔵庫扉の背面周縁部に引っ掛かる係止部５４ａ１，５４ｂ１が設けられており、野菜室扉１３の背面１３ａに沿う係止部５４ａ１，５４ｂ１の長さＬａ，Ｌｂが、冷蔵庫扉１３の背面１３ａの周縁からガスケット３５までの長さＤａ，Ｄｂより短いため、ガスケット３５を損傷することなく簡便な構成により取付棚５０を冷蔵庫扉１３に着脱可能に取り付けることができる。
【００３７】
また、本実施形態では、係止部５４ａ１，５４ｂ１の厚みｔａ，ｔｂが、冷蔵庫扉の閉扉時におけるガスケットの厚みＴより小さいため、取付棚５０を取り付けた状態で冷蔵庫扉１３を閉扉してもガスケット３５によって冷蔵庫扉１３と貯蔵室７内部との隙間をシールすることができる。
【００３８】
また、本実施形態では、載置板５１が収納位置にあり冷蔵庫扉１３の扉面材３０と平行な状態において、載置板５１の上端が野菜室扉１３に設けられた手掛け部３６より下方に位置するため、載置板５１を収納位置に配置した状態で取付棚５０を取り付けた冷蔵庫扉１３を容易に開閉することができる。
【００３９】
なお、上記した本実施形態では、取付棚５０が野菜室扉１３に着脱可能に取り付けられる場合について説明したが、取付部５２をネジなどによって冷蔵庫扉に固定するなど、取付棚５０が取り外しできない状態で冷蔵庫扉に固定されていてもよい。
【００４０】
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００４１】
１…冷蔵庫、２…冷蔵庫本体、６…冷蔵室、７…野菜室、７ａ…前端面、８…断熱仕切壁、９…製氷室、１０…上段冷凍室、１１…下段冷凍室、１２…冷蔵室扉、１３…野菜室扉、１４…製氷室扉、１５…上段冷凍室扉、１６…下段冷凍室扉、３０…扉面材、３０ａ…扉側面部、３１…扉内板、３１ａ…ガスケット保持部、３５…ガスケット、３６…手掛け部、５０…冷蔵庫扉用取付棚、５１…載置板、５１ａ…回動軸、５１ｂ…載置面、５２…取付部、５３…支持部、５３ａ…基部、５３ｂ…軸受部、５３ｃ…ストッパ、５４…固定部、５４ａ…上係止部、５４ａ１…上固定部、５４ｂ…横係止部、５４ｂ１…横固定部
【図１】
2017161106.tif 000003
【図２】
2017161106.tif 000004
【図３】
2017161106.tif 000005
【図４】
2017161106.tif 000006
【図５】
2017161106.tif 000007